(57)【特許請求の範囲】
【請求項１】
物体側から観察者側へ向けて順に、負の屈折力の第１レンズ群と、正の屈折力の第２レンズ群との２群構成であって、前記第１レンズ群と第２レンズ群の間に対物レンズによる中間像が形成され、前記第１レンズ群が最も物体側の面が物体側に凸面を向けた負のレンズ群であり、物体側から順に、正レンズと負レンズの接合レンズ、又は、分離された正レンズと負レンズからなり、前記第２レンズ群が物体側より順に、観察者側に凸面を向けた正メニスカスレンズ、両面が凸面の正レンズと負レンズ又は負レンズと正レンズの接合レンズ、観察者側に凹面を向けた正メニスカス単レンズからなり、下記条件（１），（２），（４−１）を満足することを特徴とする接眼レンズ。
（１）    １５（mm）＜ｆ2e＜２．８ｆ
（２）    −０．２５＜ｆ／ｆ1 ＜０
（４−１）  ０．２２６≦ｆ／ｒe ＜０．３
ただし、ｆは接眼レンズ全系の焦点距離、ｆ1 は第１レンズ群の焦点距離、ｆ2eは第２レンズ群中の最も観察者側に配置された単レンズの焦点距離、ｒeは第２レンズ群の最も観察者側の面の曲率半径である。
【請求項２】
物体側から観察者側へ向かって順に、負の屈折力の第１レンズ群と、正の屈折力の第２レンズ群との２群構成であって前記第１レンズ群と第２レンズ群の間に対物レンズによる中間像が形成され、前記第１レンズ群は最も物体側のレンズ面が物体側に凸面を向けた正レンズと負レンズとを組合わせたレンズ群で、物体側から順に、正レンズと負レンズの接合レンズ、又は、分離された正レンズと負レンズからなり、前記第２レンズ群が物体側より順に、観察者側に凸面を向けた正メニスカスレンズ、両面が凸面の正レンズと負レンズ又は負レンズと正レンズの接合レンズ、観察者側に凹面を向けた正メニスカス単レンズからなり、下記条件（３），（２−１），（４−１）を満足する接眼レンズ。
（３）        ｄ／ｆ＜２．３
（２−１）    −０．２＜ｆ／ｆ1 ＜０
（４−１）  ０．２２６≦ｆ／ｒe ＜０．３
ただし、ｆは接眼レンズ全系の焦点距離、ｄは第１レンズ群と第２レンズ群の間隔、ｆ1 は第１レンズ群の焦点距離、ｒeは第２レンズ群の最も観察者側の面の曲率半径である。
【請求項３】
物体側から観察者側へ向かって順に、負の屈折力の第１レンズ群と、正の屈折力の第２レンズ群とよりなる２群構成のレンズ系で、第１レンズ群と第２レンズ群との間に対物レンズによる中間像が形成され、第１レンズ群が最も物体側の面が物体側に凸面を向けた負のレンズ群であり、物体側から順に、正レンズと負レンズの接合レンズ、又は、分離された正レンズと負レンズからなり、前記第２レンズ群が物体側より順に、観察者側に凸面を向けた正メニスカスレンズ、両面が凸面の正レンズと負レンズ又は負レンズと正レンズの接合レンズ、観察者側に凹面を向けた正メニスカス単レンズからなり、下記条件（１），（３），（２−１），（４−１）を満足することを特徴とする接眼レンズ。
（１）        １５（mm）＜ｆ2e＜２．８ｆ
（３）        ｄ／ｆ＜２．３
（２−１）    −０．２＜ｆ／ｆ1 ＜０
（４−１）  ０．２２６≦ｆ／ｒe ＜０．３
ただし、ｆは接眼レンズ全系の焦点距離、ｆ1は第１レンズ群の焦点距離、ｆ2eは第２レンズ群中の最も観察者側に配置された単レンズまたは接合レンズの焦点距離、ｄは第１レンズ群と第２レンズ群の間隔、ｒeは第２レンズ群の最も観察者側の面の曲率半径である。
【請求項４】
特許請求の範囲の請求項１又は３に記載するレンズ系で、条件（１）の代りに下記条件（１−１）を満足することを特徴とする接眼レンズ。
（１−１）    ｆ＜ｆ2e＜２．３ｆ
【請求項５】
特許請求の範囲の請求項２に記載するレンズ系で、更に下記条件（１−１）を満足することを特徴とする接眼レンズ。
（１−１）    ｆ＜ｆ2e＜２．３ｆ
ただし、ｆ2eは第２レンズ群中の最も観察者側に配置された単レンズまたは接合レンズの焦点距離である。
【請求項６】
特許請求の範囲の請求項２、３乃至５の何れか１項に記載するレンズ系で、前記条件（２−１）の代りに下記条件（２−２）を満足することを特徴とする接眼レンズ。
（２−２）    −０．１３＜ｆ／ｆ1 ＜−０．０４
【請求項７】
特許請求の範囲の請求項２、３乃至６の何れか１項に記載するレンズ系で、条件（３）の代りに下記条件（３−１）を満足することを特徴とする接眼レンズ。
（３−１）    １＜ｄ／ｆ＜２．３
【請求項８】
請求項１乃至７の何れか１項に記載するレンズ系で、前記第２レンズ群の観察者側に凸面を向けた正のメニスカスレンズの観察者側の面が非球面であることを特徴とする接眼レンズ。
【請求項９】
請求項１乃至８の何れか１項に記載するレンズ系で、前記第２レンズ群中の観察者側に凸面を向けた正のメニスカスレンズが樹脂製の光学材料よりなることを特徴とする接眼レンズ。
【請求項１０】
前記中間像を形成する対物レンズと、プリズムと、請求項１乃至９の何れか１項に記載の接眼レンズとを備えたことを特徴とするレンズ系。
【発明の詳細な説明】
【０００１】
【発明の属する技術分野】
本発明は、双眼鏡等の対物レンズ等と組合わせて使用する広視界接眼レンズに関するものである。
【０００２】
【従来の技術】
広視界の接眼レンズの従来例として、特開平８−７６０３２号公報、特開平８−３６１４０号公報等に記載されている見掛け視界が８０°の接眼レンズ、特開平８−５９３８号公報に記載された見掛け視界が７５°の接眼レンズ、特開平６−１７５０４７号公報に記載されている見掛け視界が６５°の接眼レンズ、特開平６−１０９９８３号公報に記載されている見掛け視界が７２°の接眼レンズ等が知られている。
【０００３】
【発明が解決しようとする課題】
接眼レンズにおいて、見掛け視界とアイレリーフ（接眼レンズの最も眼側のレンズ面からアイポイントまでの光軸上の距離）とを共に大きくしようとすると、接眼レンズの外径が大になり諸収差の悪化を招くことになる。また射出瞳径が大きい程像のけられが起こりにくく、特に広画角の接眼レンズでは、視界周辺までけられずに観察し得るために、大きい射出瞳径をもつことが望ましい。
【０００４】
前記従来例のうち、特開平８−７６０３２号公報に記載されている接眼レンズは、見掛け視界が８０°と広く、アイレリーフもレンズ系全体の焦点距離に比べて大であるが、レンズ系全体の焦点距離自体が小であるため、対物レンズと接眼レンズとの間隔が小さくなり、射出瞳径を大きくするために大きな口径を有する対物レンズと組合わせた際に、対物レンズと接眼レンズの間に配置されるプリズム特に大きい硝路長を必要とするダハプリズムタイプのプリズム長を確保することが困難である。
【０００５】
この従来例において、長いプリズム長を確保するために、レンズ系全体の焦点距離を大にすると見掛け視界はそのままでアイレリーフが大になり、そのためレンズ外径が大になり、双眼鏡としての最低眼幅を確保することが困難になる。
【０００６】
又、特開平８−３６１４０号公報に記載された接眼レンズは、見掛け視界が８０°で、アイレリーフも０．９７ｆ（ｆは接眼レズ全体の焦点距離）と長いが、最も眼側のレンズが負レンズである負レンズと正レンズを接合した接合レンズであるために、接合レンズとしては正の屈折力を有しているが、その正の屈折力は弱くこれが原因でレンズ外径が大になっている。そのために前記の特開平８−７６０３２号公報の接眼レンズと同様に、プリズムを配置するスペースを確保するために焦点距離を大きくすると双眼鏡としての最低眼幅を確保することが困難である。
【０００７】
特開平８−５９３８号公報に記載された接眼レンズは、見掛け視界が７５°で、像面湾曲等の収差も良好に補正されているが、この接眼レンズも射出瞳径が小さく、広画角接眼レンズとしては不十分であるといわざるを得ない。また上記特開平８−３６１４０号公報に記載された接眼レンズと同様に、最も眼側のレンズが負レンズと正レンズの接合レンズであって屈折力が弱く、レンズ外径が大になる。
【０００８】
特開平６−１７５０４号公報に記載された接眼レンズは、見掛け視界が６５°で、中間結像面よりも物体側のレンズ群である第１レンズ群の屈折力が強いために、第２レンズ群の各正レンズの屈折力を強くしなければならない。そのために、見掛け視界を更に広くしようとすると、各正レンズの縁肉を確保するためにはレンズの肉厚を大にしなければならず重量が増大し又視界周辺の像が乱れ収差を良好に補正することが困難になる。
【０００９】
更に、特開平６−１０９９８３号公報に記載された接眼レンズは、見掛け視界が７２°で、上記の各従来例と同じように焦点距離が小であって、大きい瞳径を確保するのに十分ではない。この従来例において焦点距離を大にしようとすると見掛け視界は変らずにアイレリーフが大になるのでレンズ外径が増大する。
【００１０】
以上述べたように、従来の接眼レンズは、視野周辺まで諸収差が良好に補正されていて、極めて広い見掛け視界と、大きい瞳径に対応することは出来ない。
【００１１】
本発明は、見掛け視界が８０°程度で必要十分なアイレリーフを確保し、大きい瞳径にも対応し、かつ視野周辺まで諸収差が良好に補正された接眼レンズを提供するものである。
【００１２】
【課題を解決するための手段】
本発明の接眼レンズの第１の構成は、物体側から観察者側へ向けて順に、負の屈折力の第１レンズ群と、正の屈折力の第２レンズ群との２群構成であって、前記第１レンズ群と第２レンズ群の間に対物レンズによる中間像が形成され、前記第１レンズ群が最も物体側の面が物体側に凸面を向けた負のレンズ群であり、前記第２レンズ群が物体側より順に、観察者側に凸面を向けた正メニスカスレンズ、両面が凸面の正レンズと負レンズ又は負レンズと正レンズの接合レンズ、観察者側に凹面を向けた正メニスカス単レンズからなり、下記条件（１），（２），（４−１）を満足することを特徴とする。
（１）    １５（mm）＜ｆ2e＜２．８ｆ
（２）    −０．２５＜ｆ／ｆ1 ＜０
（４−１）  ０．２２６≦ｆ／ｒe ＜０．３
ただし、ｆは接眼レンズ全系の焦点距離、ｆ1 は第１レンズ群の焦点距離、ｆ2eは第２レンズ群中の最も観察者側に配置された単レンズの焦点距離、ｒeは第２レンズ群の最も観察者側の面の曲率半径である。
【００１３】
本発明の接眼レンズは、前記のように第１レンズ群を負のレンズ群にして発散作用を持たせることによって像面湾曲を支配するペッツバール和を小さく抑えるようにした。又この第１レンズ群により周辺光束をはねあげることにより無理なく広視界の接眼レンズを実現し得るようにした。また第１レンズ群の最も物体側の面を物体側に凸面を向けるようにして負の方向に大きくなる像面湾曲を補正している。
【００１４】
又、本発明の接眼レンズは、正の屈折力を持つ第２レンズ群の収斂作用によって、第１レンズ群により発散させられた光束をアイポイントへと導くようにした。
【００１５】
又前記条件は、第２レンズ群中の最も像側に配置された単レンズ又は接合レンズであるレンズ成分の屈折力を規定したものである。この条件（１）の下限値の１５mmを超えると、焦点距離がアイレリーフよりも小になりこのレンズ成分のパワーが必要以上に強くなり軸外収差の補正が困難になる。条件（１）の上限値の２．８ｆを超えると、最も観察者側（眼側）のレンズ成分の正の屈折力が弱くなるためにレンズ外径が大になる。又この条件（１）を満足すれば、第２レンズ群中の他のレンズの正のパワーの負担が小さくなり、色収差の補正にとっても有利である。
【００１６】
条件（２）は、第１レンズ群の屈折力を規定するもので、それにより第２レンズ群への入射光線高を規定するもので、又プリズムを配置するためのスペースを確保するためのものである。この条件（２）の下限値の−０．２５を超えると第１レンズ群の屈折力が強くなり、第２レンズ群へ向かう光線の角度が大になり、第２レンズ群の外径の増大をまねくことになる。特に、大きい瞳径に対応した双眼鏡接眼レンズの場合、最低眼幅を確保することが困難になり、双眼鏡を構成し得なくなる。また、対物レンズと第１レンズ群との間隔が狭くなりプリズムを配置するスペースを確保することが困難になる。また条件（２）の上限値の０を超えると第１レンズ群が収斂作用を持ち、第１レンズ群の外径が大になり、プリズムを配置するスペースの確保が困難になる。又対物レンズと第１レンズ群との間隔が長くなり双眼鏡全体が大型になる。
【００１７】
本発明の双眼鏡の他の第２の構成は、物体側から観察者側へ向かって順に、負の屈折力の第１レンズ群と、正の屈折力の第２レンズ群との２群構成であって前記第１レンズ群と第２レンズ群の間に対物レンズによる中間像が形成され、前記第１レンズ群は最も物体側のレンズ面が物体側に凸面を向けた正レンズと負レンズとを組合わせたレンズ群で、前記第２レンズ群が物体側より順に、観察者側に凸面を向けた正メニスカスレンズ、両面が凸面の正レンズと負レンズ又は負レンズと正レンズの接合レンズ、観察者側に凹面を向けた正メニスカス単レンズからなり、下記条件（３），（２−１），（４−１）を満足することを特徴とする。
（３）        ｄ／ｆ＜２．３
（２−１）    −０．２＜ｆ／ｆ1 ＜０
（４−１）  ０．２２６≦ｆ／ｒe ＜０．３
ただし、ｄは第１レンズ群と第２レンズ群の間隔である。
【００１８】
本発明の接眼レンズの第２の構成のレンズ系は、第１レンズ群を最も物体側のレンズ面が物体側に凸面を向けたことにより負の方向に大きくなる像面湾曲を補正し、又この第１レンズ群を正レンズと負レンズとを組合わせた構成にすることにより倍率の色収差を良好に補正するようにした。
【００１９】
又条件（３）は、第１レンズ群と第２レンズ群の間隔を規定したもので、この条件（３）の上限値の２．３を超えると第１レンズ群と第２レンズ群の間隔が大になり、第２レンズ群のレンズ外径の増大をまねくことになる。
【００２０】
条件（２−１）は、第１レンズ群の屈折力を規定するもので、本発明の第２の構成のレンズ系においては条件（２）の代りにこの条件（２−１）を満足することが好ましい。この条件（２−１）の下限値の−０．２を超えると第１レンズ群の屈折力が強くなり、第２レンズ群のレンズ外径の増大をまねくことになる。また軸外入射光線の角度が大になり収差の補正が困難になる。条件（２−１）の上限値の０を超えると、第１レンズ群が収斂作用を持ち、第１レンズ群の外径が大になり、プリズムを配置するスペースの確保が困難になる。
【００２１】
以上のように構成することにより、本発明の接眼レンズの第２の構成のレンズ系は、第２レンズ群がその各レンズ素子を、収差を良好に補正しつつ光束をアイポイントに導くことができる。
【００２２】
又、本発明の接眼レンズの第３の構成は、物体側から観察者側へ向かって順に、負の屈折力の第１レンズ群と、正の屈折力の第２レンズ群とよりなる２群構成のレンズ系で、第１レンズ群と第２レンズ群との間に対物レンズによる中間像が形成され、第１レンズ群が最も物体側の面が物体側に凸面を向けた負のレンズ群であり、前記第２レンズ群が物体側より順に、観察者側に凸面を向けた正メニスカスレンズ、両面が凸面の正レンズと負レンズ又は負レンズと正レンズの接合レンズ、観察者側に凹面を向けた正メニスカス単レンズからなり、下記条件（１），（３），（２−１），（４−１）を満足することレンズ系であって、これにより瞳径を十分に確保しながら眼幅調整が可能であって、より外径の小さい、８０°程度の広い見掛け視界の双眼鏡を実現し得る。
（１）        １５（mm）＜ｆ2e＜２．８ｆ
（３）        ｄ／ｆ＜２．３
（２−１）    −０．２＜ｆ／ｆ1 ＜０
（４−１）  ０．２２６≦ｆ／ｒe ＜０．３
【００２３】
本発明の第１、第３の構成において、条件（１）の代りに下記条件（１−１）を満足すればより望ましい。
（１−１）    ｆ＜ｆ2e＜２．３ｆ
【００２４】
本発明の第１の構成における条件（２）、又第２、第３の構成における条件（２−１）の代りに下記条件（２−２）を満足すればより望ましい。
（２−２）    −０．１３＜ｆ／ｆ1 ＜−０．０４
【００２５】
前記第２、第３の構成のレンズ系において、条件（３）の代りに下記条件（３−１）を満足すればより望ましい。
（３−１）    １＜ｄ／ｆ＜２．３
又、前記第１、第２、第３の構成において、第２レンズ群を、物体側より順に、いずれも正の屈折力を持つ第１レンズ成分、第２レンズ成分、第３レンズ成分の三つのレンズ成分にて構成し、第２レンズ成分を両凸形状の接合レンズにすることが望ましい。
【００２６】
本発明の接眼レンズにおいて、第２レンズ群を前記のように正の屈折力を持つ三つのレンズ成分にて構成することにより、諸収差を良好に補正しつつレンズ外径を小さく抑えることができる。また第２レンズ成分を両面が凸面の接合レンズにすることにより倍率の色収差を良好に補正できる。
【００２７】
又本発明の接眼レンズの第１、第２、第３の構成のレンズ系において、像面湾曲、コマ収差を良好に補正するためには、下記条件（４）を満足することが望ましい。
（４）    ０＜ｆ／ｒe ＜０．６５
ただし、ｒe は第２レンズ群の最も観察者側の面の曲率半径である。
【００２８】
この条件（４）は、レンズ系の最も観察者側の面の曲率半径ｒe を規定するものである。この条件は、見掛け視界が狭い接眼レンズにおいては効果が少ないが、本発明のように見掛け視界が８０°と極めて広い接眼レンズの場合は、この条件（４）を満足することにより像面湾曲やコマ収差をより良好に補正することが出来る。
【００２９】
この条件（４）の下限値の０を超えると最も観察者側のレンズ面が平面又は凸面になり、像面が負の方向へ湾曲し、またコマ収差の補正にとって不利になる。条件（４）の上限値の０．６５を超えると最も観察者側のレンズ面の曲率半径が小さくなりすぎて像面が正の方向へ湾曲し、コマ収差等の補正も不利になり、又十分なアイレリーフを確保しにくくなる。
【００３０】
又、条件（４）の代りに下記条件（４−１）を満足すれば像面湾曲、コマ収差を一層良好に補正し得るようになる。
（４−１）  ０．２２６≦ｆ／ｒe ＜０．３
また第２レンズ群の第１レンズ成分を観察者側に凸面を向けた正のメニスカスにし、観察者側のレンズ面を非球面にすれば、諸収差特にメリディオナル像面の湾曲を効果的に補正し得る。この場合非球面レンズに樹脂製の光学材料を用いれば安価になし得る。
【００３１】
【発明の実施の形態】
次に本発明の接眼レンズの実施の形態を各実施例をもとに述べる。
参考例としての実施例１
ｆ＝23.323，２ω＝80°，瞳径6mm
ｒ1 ＝114.1340          ｄ1 ＝10.2575   ｎ1 ＝1.51633     ν1 ＝64.15
ｒ2 ＝-76.5130          ｄ2 ＝3.5274    ｎ2 ＝1.62004     ν2 ＝36.26
ｒ3 ＝-267.3670         ｄ3 ＝23.3723
ｒ4 ＝∞                ｄ4 ＝76.5700   ｎ3 ＝1.56883     ν3 ＝56.33
ｒ5 ＝∞                ｄ5 ＝1.0000
ｒ6 ＝∞                ｄ6 ＝110.7480  ｎ4 ＝1.56883     ν4 ＝56.33
ｒ7 ＝∞                ｄ7 ＝1.5000
ｒ8 ＝184.8210          ｄ8 ＝5.3397    ｎ5 ＝1.80518     ν5 ＝25.43
ｒ9 ＝-79.4570          ｄ9 ＝4.5842    ｎ6 ＝1.51633     ν6 ＝64.15
ｒ10＝39.3700           ｄ10＝23.0322
ｒ11＝∞（中間像）      ｄ11＝11.9133
ｒ12＝-81.9257          ｄ12＝11.4015   ｎ7 ＝1.49241     ν7 ＝57.66
ｒ13＝-29.4032（非球面）ｄ13＝0.5000
ｒ14＝81.9249           ｄ14＝16.8972   ｎ8 ＝1.60311     ν8 ＝60.68
ｒ15＝-32.5702          ｄ15＝4.6652    ｎ9 ＝1.76182     ν9 ＝26.52
ｒ16＝-65.0980          ｄ16＝0.5000
ｒ17＝31.5835           ｄ17＝10.0400   ｎ10＝1.77250     ν10＝49.60
ｒ18＝101.0040          ｄ18＝17.5000
ｒ19＝∞（アイポイント）
非球面係数
Ｋ＝0 ，Ａ4 ＝5.1367×10-6，Ａ6 ＝-2.8994×10-9，Ａ8 ＝3.5052×10-12
ｆ1 ＝-213.411，ｆ2 ＝25.300，ｆ2e＝55.959，ｄ＝34.9455
ｒe ＝101.004 ，ｆ2e／ｆ＝2.399 ，ｆ／ｆ1 ＝-0.109，ｄ／ｆ＝1.498
ｆ／ｒe ＝0.231
【００３２】
実施例２
ｆ＝22.906，２ω＝80°，瞳径6mm
ｒ1 ＝114.0424          ｄ1 ＝10.2571   ｎ1 ＝1.51633     ν1 ＝64.15
ｒ2 ＝-76.4366          ｄ2 ＝3.5262    ｎ2 ＝1.62004     ν2 ＝36.26
ｒ3 ＝-272.3704         ｄ3 ＝31.4642
ｒ4 ＝∞                ｄ4 ＝72.6750   ｎ3 ＝1.56883     ν3 ＝56.33
ｒ5 ＝∞                ｄ5 ＝2.0500
ｒ6 ＝∞                ｄ6 ＝100.6800  ｎ4 ＝1.56883     ν4 ＝56.33
ｒ7 ＝∞                ｄ7 ＝1.5000
ｒ8 ＝164.2153          ｄ8 ＝5.3390    ｎ5 ＝1.80518     ν5 ＝25.43
ｒ9 ＝-85.4978          ｄ9 ＝4.5831    ｎ6 ＝1.51633     ν6 ＝64.15
ｒ10＝39.3700           ｄ10＝23.0312
ｒ11＝∞（中間像）      ｄ11＝11.9123
ｒ12＝-48.5353          ｄ12＝11.0187   ｎ7 ＝1.53996     ν7 ＝59.45
ｒ13＝-28.3728（非球面）ｄ13＝0.5000
ｒ14＝74.6549           ｄ14＝4.6647    ｎ8 ＝1.76182     ν8 ＝26.52
ｒ15＝30.9840           ｄ15＝16.8967   ｎ9 ＝1.60311     ν9 ＝60.68
ｒ16＝-71.4032          ｄ16＝0.5000
ｒ17＝29.0223           ｄ17＝10.0396   ｎ10＝1.77250     ν10＝49.60
ｒ18＝101.1388          ｄ18＝17.5000
ｒ19＝∞（アイポイント）
非球面係数
Ｋ＝0 ，Ａ4 ＝4.8343×10-6，Ａ6 ＝3.4230×10-10 ，Ａ8 ＝5.4239×10-13
ｆ1 ＝-229.063，ｆ2 ＝24.683，ｆ2e＝49.675，ｄ＝34.944，ｒe ＝101.139
ｆ2e／ｆ＝2.169 ，ｆ／ｆ1 ＝-0.100，ｄ／ｆ＝1.526 ，ｆ／ｒe ＝0.226
【００３３】
実施例３
ｆ＝23.170，２ω＝80°，瞳径6mm
ｒ1 ＝85.7692           ｄ1 ＝10.5670   ｎ1 ＝1.51633     ν1 ＝64.15
ｒ2 ＝-85.0851          ｄ2 ＝3.8913    ｎ2 ＝1.62004     ν2 ＝36.26
ｒ3 ＝-1903.3425        ｄ3 ＝31.7740
ｒ4 ＝∞                ｄ4 ＝72.6750   ｎ3 ＝1.56883     ν3 ＝56.33
ｒ5 ＝∞                ｄ5 ＝2.0500
ｒ6 ＝∞                ｄ6 ＝100.6800  ｎ4 ＝1.56883     ν4 ＝56.33
ｒ7 ＝∞                ｄ7 ＝1.5000
ｒ8 ＝164.2153          ｄ8 ＝5.4696    ｎ5 ＝1.80518     ν5 ＝25.43
ｒ9 ＝-141.9611         ｄ9 ＝2.0000
ｒ10＝-71.6276          ｄ10＝4.6492    ｎ6 ＝1.51633     ν6 ＝64.15
ｒ11＝74.1632           ｄ11＝22.9127
ｒ12＝∞（中間像）      ｄ12＝11.9123
ｒ13＝-69.3973          ｄ13＝11.3834   ｎ7 ＝1.53996     ν7 ＝59.45
ｒ14＝-31.6360（非球面）ｄ14＝0.5000
ｒ15＝132.5091          ｄ15＝16.2089   ｎ8 ＝1.60311     ν8 ＝60.68
ｒ16＝-24.8370          ｄ16＝4.0703    ｎ9 ＝1.76182     ν9 ＝26.52
ｒ17＝-54.3046          ｄ17＝0.5000
ｒ18＝27.3079           ｄ18＝10.0396   ｎ10＝1.77250     ν10＝49.60
ｒ19＝101.1388          ｄ19＝17.5000
ｒ20＝∞（アイポイント）
非球面係数
Ｋ＝0 ，Ａ4 ＝4.3430×10-6，Ａ6 ＝3.3300×10-10 ，Ａ8 ＝5.3900×10-13
ｆ1 ＝-322.955，ｆ2 ＝24.067，ｆ2e＝45.716，ｄ＝34.825，ｒe ＝101.139
ｆ2e／ｆ＝1.973 ，ｆ／ｆ1 ＝-0.072，ｄ／ｆ＝1.503 ，ｆ／ｒe ＝0.229
【００３４】
実施例４
ｆ＝22.823，２ω＝80°，瞳径 6mm
ｒ1 ＝114.1340          ｄ1 ＝10.2575   ｎ1 ＝1.51633     ν1 ＝64.15
ｒ2 ＝-76.5130          ｄ2 ＝3.5274    ｎ2 ＝1.62004     ν2 ＝36.26
ｒ3 ＝-267.3670         ｄ3 ＝20.6350
ｒ4 ＝∞                ｄ4 ＝76.5700   ｎ3 ＝1.56883     ν3 ＝56.33
ｒ5 ＝∞                ｄ5 ＝1.0000
ｒ6 ＝∞                ｄ6 ＝110.7480  ｎ4 ＝1.56883     ν4 ＝56.33
ｒ7 ＝∞                ｄ7 ＝1.5000
ｒ8 ＝107.3321          ｄ8 ＝8.9831    ｎ5 ＝1.80518     ν5 ＝25.43
ｒ9 ＝-174.3596         ｄ9 ＝7.4081    ｎ6 ＝1.51633     ν6 ＝64.15
ｒ10＝25.8883           ｄ10＝21.8039
ｒ11＝∞（中間像）      ｄ11＝10.6825
ｒ12＝-1500.0000        ｄ12＝13.6501   ｎ7 ＝1.49241     ν7 ＝57.66
ｒ13＝-29.7469（非球面）ｄ13＝0.5000
ｒ14＝202.6314          ｄ14＝16.8972   ｎ8 ＝1.60311     ν8 ＝60.68
ｒ15＝-28.4542          ｄ15＝4.6652    ｎ9 ＝1.76182     ν9 ＝26.52
ｒ16＝-64.5619          ｄ16＝0.5000
ｒ17＝30.8740           ｄ17＝10.0400   ｎ10＝1.77250     ν10＝49.60
ｒ18＝101.0040          ｄ18＝17.5000
ｒ19＝∞（アイポイント）
非球面係数
Ｋ＝0 ，Ａ4 ＝6.2622×10-6，Ａ6 ＝-1.0587 ×10-8，Ａ8 ＝1.2588×10-11
ｆ1 ＝-108.495，ｆ2 ＝26.038，ｆ2e＝54.181，ｄ＝32.486，ｒe ＝101.004
ｆ2e／ｆ＝2.37，ｆ／ｆ1 ＝-0.210，ｄ／ｆ＝1.423 ，ｆ／ｒe ＝0.226
ただしｒ1 ，ｒ2 ，・・・ は各レンズ面の曲率半径、ｄ1 ，ｄ2 ，・・・ は各レンズの肉厚およびレンズ間隔、ｎ1 ，ｎ2 ，・・・ は各レンズの屈折率、ν1 ，ν2 ，・・・ は各レンズのアッベ数である。尚データー中焦点距離、曲率半径等の単位はmmである。
【００３５】
参考例としての実施例１は、図１に示す通りの構成で、ｒ1 〜ｒ3 は対物レンズ、ｒ4 〜ｒ5 、ｒ6 〜ｒ7 はプリズム、ｒ8 〜ｒ18は本発明の接眼レンズで、ｒ8 〜ｒ10が第１レンズ群、ｒ12〜ｒ18が第２レンズ群であり、又ｒ11が対物レンズによる中間像、ｒ19はアイポイントである。
【００３６】
参考例としての実施例１の接眼レンズは、第１レンズ群が正レンズと負レンズの接合レンズ、第２レンズ群が三つの正のレンズ成分よりなり第２レンズ成分が接合レンズである。つまり第２レンズ群は、凹面を対物レンズ側に向けた、メニスカスレンズの正の第１レンズ成分と正レンズと負レンズを接合した両凸形状の正の接合レンズの第２レンズ成分と凹面を観察者側に向けた正のメニスカスレンズの第３レンズ成分とより構成されている。又第２レンズ群の第１レンズ成分の物体側の面が非球面であり、この第２レンズ成分の正のメニスカスレンズは、プラスチック材料よりなる。
【００３７】
又参考例としての実施例１は条件（１），（２），（３），（４）を満足する。又条件（２−１），（２−２），（３−１）を満足する。
【００３８】
実施例２は図２に示す通りで、参考例としての実施例１の接眼レンズと同様の構成のレンズ系である。この実施例は、条件（１），（２），（３），（４）を満足し、更に条件（１−１），（２−１），（２−２），（４−１）も満足する。
【００３９】
実施例３は図３に示す通りのレンズ系である。この実施例のレンズ系は、第１レンズ群が分離された正レンズと負レンズとよりなる点で実施例１と異なっている。つまり第１レンズ群はｒ8 〜ｒ9 の両凸レンズとｒ10〜ｒ11の両凹レンズとよりなり、第２レンズ群はｒ13〜ｒ14の正のメニスカスレンズの第１レンズ成分と、ｒ15〜ｒ16の正レンズとｒ16〜ｒ17の負のメニスカスレンズを接合した接合レンズの第２レンズ成分と、ｒ18〜ｒ19の正のメニスカスレンズの第３レンズ成分とよりなる。又ｒ12は対物レンズによる中間像、ｒ20はアイポイントである。
【００４０】
この実施例３は条件（１），（２），（３），（４）を満足する。又条件（１−１），（２−１），（３−１），（４−１）も満足する。
【００４１】
実施例４は図４に示す構成のレンズ系で、実施例１のレンズ系と同様の構成である。
【００４２】
この実施例４は、条件（１），（２），（３），（４）を満足する。又条件（３−１），条件（４−１）を満足する。
【００４３】
本発明の実施例中の非球面形状は光軸方向をｘ軸、光軸に直角な方向をｙ軸とした時、次の式にて表わされる。
0003725639.tif 000002
【００４４】
ここで、ｒは基準球面の曲率半径、Ｋ，Ａ4 ，Ａ6 ，・・・は非球面係数である。
【００４５】
以上述べた本発明の接眼レンズは、特許請求の範囲に記載するレンズ系のほか、次の各項に記載する構成のレンズ系も本発明の目的を達成し得るものである。
【００４６】
（１）特許請求の範囲の請求項１又は３に記載するレンズ系で、条件（１）の代りに下記条件（１−１）を満足することを特徴とする接眼レンズ。
（１−１）    １＜ｆ2e＜２．３
【００４７】
（２）特許請求の範囲の請求項２に記載するレンズ系で、更に下記条件（１−１）を満足することを特徴とする接眼レンズ。
（１−１）    １＜ｆ2e／ｆ＜２．３
【００４８】
（３）特許請求の範囲の請求項２又は３に記載するレンズ系で、前記条件（２−１）の代りに下記条件（２−２）を満足することを特徴とする接眼レンズ。
（２−２）    −０．１３＜ｆ／ｆ1 ＜−０．０４
【００４９】
（４）特許請求の範囲の請求項２又は３あるいは前記の（３）の項に記載するレンズ系で、条件（３）の代りに下記条件（３−１）を満足することを特徴とする接眼レンズ。
（３−１）    １＜ｄ／ｆ＜２．３
【００５０】
（５）特許請求の範囲の請求項１，２又は３あるいは前記の（１），（２），（３）又は（４）の項のレンズ系で、第２レンズ群がいずれも正の屈折力の第１レンズ成分、第２レンズ成分、第３レンズ成分の三つのレンズ成分よりなり、第２レンズ成分は両面が凸面の接合レンズであることを特徴とする接眼レンズ。
【００５１】
（６）前記の（５）の項に記載するレンズ系で、下記条件（４）を満足することを特徴とする接眼レンズ。
（４）    ０＜ｆ／ｒe ＜０．６５
【００５２】
（７）前記の（６）の項に記載するレンズ系で、条件（４）の代りに下記条件（４−１）を満足することを特徴とする接眼レズ。
（４−１）    ０．１＜ｆ／ｒe ＜０．３
【００５３】
（８）前記の（５），（６）又は（７）の項に記載するレンズ系で、第２レンズ群の第１レンズ成分が観察者側に凸面を向けた正のメニスカスレンズよりなり、この正のメニスカスレンズの観察者側の面が非球面であることを特徴とする接眼レンズ。
【００５４】
（９）前記の（８）の項に記載するレンズ系で、第２レンズ群中の第１レンズ成分を構成する正のメニスカスレンズが樹脂製の光学材料よりなることを特徴とする接眼レズ。
【００５５】
【発明の効果】
本発明の接眼レンズは、見掛け視界が８０°と極めて広く、必要十分なアイレリーフを有し、６mm程度の大きな瞳径にも対応出来、かつ視野周辺まで諸収差が良好に補正されている。
【図面の簡単な説明】
【図１】参考例としての実施例１の断面図
【図２】本発明の実施例２の断面図
【図３】本発明の実施例３の断面図
【図４】本発明の実施例４の断面図
【図５】参考例としての実施例１の収差曲線図
【図６】本発明の実施例２の収差曲線図
【図７】本発明の実施例３の収差曲線図
【図８】本発明の実施例４の収差曲線図
【図１】
0003725639.tif 000003
【図２】
0003725639.tif 000004
【図３】
0003725639.tif 000005
【図４】
0003725639.tif 000006
【図５】
0003725639.tif 000007
【図６】
0003725639.tif 000008
【図７】
0003725639.tif 000009
【図８】
0003725639.tif 000010